(57)【要約】【課題】シリンダ錠の操作に応じて機能する機能スイッチを備え、スイッチ用作動杆を不要とすると共に、構造を簡単化することができるゲーム機の施錠装置を提供する。【解決手段】作動杆４のスイッチ作動部４ｅの移動によってスイッチングする機能スイッチ１７が基枠体側に取り付けられる。シリンダ錠７によりカム部材２１をラッチ部材１０の解錠側と反対方向に回動させたとき、カム部材２１によってスイッチ作動部４ｅがラッチ部材１０の解錠方向と反対方向に移動してスイッチ作動部が機能スイッチ１７を動作させる。作動杆４と基枠体の支持板３に各々上長孔４ｆ、３ｄと下長孔４ｈ、３ｅが貫通して形成され、上長孔に上移動部材１８が移動可能に挿通されると共に、下長孔に下移動部材１９が移動可能に挿通される。上移動部材と下移動部材間に１本のコイルばね１６が掛け渡される。【選択図】図１
2008229271.tif 000002
【特許請求の範囲】
【請求項１】
取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前扉の内側に取り付けられ、ゲーム機のキャビネットの内側に受け具が取り付けられるゲーム機の施錠装置であって、
該基枠体の支持板の上部と下部に該受け具の進入を許容する開口凹部が形成され、該開口凹部内の受け具を拘束する溝状のラッチ凹部を有するラッチ部材が該支持板の上部と下部の該開口凹部の近傍に各々回動可能に枢支され、該ラッチ部材は、前扉の閉鎖時に該ラッチ部材が該受け具に押されてラッチ位置に回動した時、ラッチ位置に係止され、該シリンダ錠によりカム部材を該ラッチ部材の解錠方向に回動させたとき、作動杆が移動して係止が解除されて該ラッチ部材が解錠側に回動するゲーム機の施錠装置において、
該作動杆の一部にスイッチ作動部が設けられ、該スイッチ作動部の移動によってスイッチングする機能スイッチが該基枠体側に取り付けられ、該シリンダ錠により該カム部材を該ラッチ部材の解錠側と反対方向に回動させたとき、該カム部材によって該スイッチ作動部が該ラッチ部材の解錠方向と反対方向に移動して該スイッチ作動部が機能スイッチを動作させるように構成され、
該作動杆と前記基枠体の支持板に各々上長孔と下長孔が貫通して形成され、該上長孔に上移動部材が移動可能に挿通されると共に、該下長孔に下移動部材が移動可能に挿通され、該上移動部材と該下移動部材間に１本のコイルばねが掛け渡され、該作動杆の上昇時に該上移動部材が該コイルばねの付勢力に抗して上昇し、該作動杆の下降時に該下移動部材が該コイルばねの付勢力に抗して下降し、該作動杆は上下移動時、該コイルばねにより中立位置復帰方向に付勢されることを特徴とするゲーム機の施錠装置。
【請求項２】
取付板と支持板とを有する基枠体の該支持板の上部と下部に鉤部材が傾動可能に枢支され、該支持板に沿って長尺の作動杆が摺動可能に配設され、該取付板にシリンダ錠が固定され、該シリンダ錠の錠軸にカム部材が該作動杆と係合可能に取り付けられ、該作動杆には該カム部材の回動により該作動杆が解錠側に移動したとき該鉤部材に係合して該鉤部材を解錠方向に傾動させるための係合部が設けられたゲーム機の施錠装置であって、
該作動杆の一部にスイッチ作動部が設けられ、該スイッチ作動部の移動によってスイッチングする機能スイッチが該基枠体側に取り付けられ、該シリンダ錠により該カム部材を該鉤部材の解錠側と反対方向に回動させたとき、該カム部材によって該スイッチ作動部が該鉤部材の解錠方向と反対方向に移動して該スイッチ作動部が機能スイッチを動作させるように構成され、
該作動杆と前記基枠体の支持板に各々上長孔と下長孔が貫通して形成され、該上長孔に上移動部材が移動可能に挿通されると共に、該下長孔に下移動部材が移動可能に挿通され、該上移動部材と該下移動部材間に１本のコイルばねが掛け渡され、該作動杆の上昇時に該上移動部材が該コイルばねの付勢力に抗して上昇し、該作動杆の下降時に該下移動部材が該コイルばねの付勢力に抗して下降し、該作動杆は上下移動時、該コイルばねにより中立位置復帰方向に付勢されることを特徴とするゲーム機の施錠装置。
【請求項３】
前記上移動部材と下移動部材は、前記コイルばねを掛止するための掛止部を板状本体に対し直角に曲折して形成されると共に、同一形状に形成され、該掛止部を前記上長孔または下長孔に挿通して装着されることを特徴とする請求項１または２記載のゲーム機の施錠装置。
【発明の詳細な説明】
【技術分野】
【０００１】
本発明は、スロットマシンなどのゲーム機の前扉をキャビネットに対し施錠するゲーム機の施錠装置に関し、特に解錠動作するための作動杆とリセット操作用などのスイッチング操作に使用するスイッチ作動杆を兼用としたゲーム機の施錠装置に関する。
【背景技術】
【０００２】
従来、スロットマシンなどゲーム機の施錠装置として、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるゲーム機の施錠装置を提案した（下記の特許文献１を参照）。
【特許文献１】特開２００４−１０５４１７号公報
【発明の開示】
【発明が解決しようとする課題】
【０００５】
この施錠装置は、取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、本体枠の内側に受け具が取り付けられる。基枠体の支持板の上部と下部に受け具の進入を許容する開口凹部が形成され、開口凹部内の受け具を拘束する溝状のラッチ凹部を有するラッチ部材が上部と下部の開口凹部の近傍に各々回動可能に枢支される。
【０００６】
ラッチ部材には係止ピンが移動可能に取り付けられ、支持板には係止ピンの先端が係合しガイドされるガイド係止孔がロック部を有して形成され、作動杆にはその移動時にラッチ部材の係止ピンに係合してロック部によるロックを外すように動作する作動係合部が設けられ、ラッチ部材を解錠側に付勢するばね部材が内蔵される。
【０００７】
そして、この施錠装置は、前面枠を閉じて施錠操作を行なったとき、上部と下部のラッチ部材のラッチ凹部に受け具の係止部が嵌入し、その係止部に押されてラッチ部材がラッチ位置に回動した時、ラッチ部材の係止ピンがガイド係止孔からロック部に移動して、ラッチ部材をラッチ位置にロックし、施錠する。
【０００８】
ところで、この種のゲーム機の施錠装置には、ゲームのリセットなどに使用される機能スイッチが取り付けられる場合があり、この場合には、基枠体内にスイッチ用作動杆が摺動可能に配設され、シリンダ錠の操作によりカム部材を解錠側とは反対方向に回動させたとき、カム部材がスイッチ用作動杆に係合してこれを移動させ、機能スイッチをスイッチングさせることができる。
【０００９】
しかしながら、このスイッチ用作動杆が基枠体内に配設されると、スイッチ用作動杆をガイド保持するガイド孔やガイドピンなどのガイド部が必要となることに加え、スイッチ用作動杆を非作動方向に付勢するためのばね部材が必要となるなど、部品点数が増大し、組み付けの加工工数も増大するという課題があった。
【００１０】
本発明は、上記の点に鑑みてなされたもので、シリンダ錠の操作に応じて機能する機能スイッチを備えた施錠装置において、スイッチ用作動杆を不要とすると共に、構造を簡単化し、ガイドピン、コイルばねなどの部品点数を削減することができるゲーム機の施錠装置を提供することを目的とする。
【課題を解決するための手段】
【００１１】
上記目的を達成するために、本発明の第１発明の施錠装置は、取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前扉の内側に取り付けられ、ゲーム機のキャビネットの内側に受け具が取り付けられるゲーム機の施錠装置であって、
該基枠体の支持板の上部と下部に該受け具の進入を許容する開口凹部が形成され、該開口凹部内の受け具を拘束する溝状のラッチ凹部を有するラッチ部材が該支持板の上部と下部の該開口凹部の近傍に各々回動可能に枢支され、該ラッチ部材は、前扉の閉鎖時に該ラッチ部材が該受け具に押されてラッチ位置に回動した時、ラッチ位置に係止され、該シリンダ錠によりカム部材を該ラッチ部材の解錠方向に回動させたとき、作動杆が移動して係止が解除されて該ラッチ部材が解錠側に回動するゲーム機の施錠装置において、
該作動杆の一部にスイッチ作動部が設けられ、該スイッチ作動部の移動によってスイッチングする機能スイッチが該基枠体側に取り付けられ、該シリンダ錠により該カム部材を該ラッチ部材の解錠側と反対方向に回動させたとき、該カム部材によって該スイッチ作動部が該ラッチ部材の解錠方向と反対方向に移動して該スイッチ作動部が機能スイッチを動作させるように構成され、
該作動杆と前記基枠体の支持板に各々上長孔と下長孔が貫通して形成され、該上長孔に上移動部材が移動可能に挿通されると共に、該下長孔に下移動部材が移動可能に挿通され、該上移動部材と該下移動部材間に１本のコイルばねが掛け渡され、該作動杆の上昇時に該上移動部材が該コイルばねの付勢力に抗して上昇し、該作動杆の下降時に該下移動部材が該コイルばねの付勢力に抗して下降し、該作動杆は上下移動時、該コイルばねにより中立位置復帰方向に付勢されることを特徴とする。
【００１２】
また、第２発明の施錠装置は、取付板と支持板とを有する基枠体の該支持板の上部と下部に鉤部材が傾動可能に枢支され、該支持板に沿って長尺の作動杆が摺動可能に配設され、該取付板にシリンダ錠が固定され、該シリンダ錠の錠軸にカム部材が該作動杆と係合可能に取り付けられ、該作動杆には該カム部材の回動により該作動杆が解錠側に移動したとき該鉤部材に係合して該鉤部材を解錠方向に傾動させるための係合部が設けられたゲーム機の施錠装置であって、
該作動杆の一部にスイッチ作動部が設けられ、該スイッチ作動部の移動によってスイッチングする機能スイッチが該基枠体側に取り付けられ、該シリンダ錠により該カム部材を該鉤部材の解錠側と反対方向に回動させたとき、該カム部材によって該スイッチ作動部が該鉤部材の解錠方向と反対方向に移動して該スイッチ作動部が機能スイッチを動作させるように構成され、
該作動杆と前記基枠体の支持板に各々上長孔と下長孔が貫通して形成され、該上長孔に上移動部材が移動可能に挿通されると共に、該下長孔に下移動部材が移動可能に挿通され、該上移動部材と該下移動部材間に１本のコイルばねが掛け渡され、該作動杆の上昇時に該上移動部材が該コイルばねの付勢力に抗して上昇し、該作動杆の下降時に該下移動部材が該コイルばねの付勢力に抗して下降し、該作動杆は上下移動時、該コイルばねにより中立位置復帰方向に付勢されることを特徴とする。
【００１３】
ここで、上記上移動部材と下移動部材は、コイルばねを掛止するための掛止部を板状本体に対し直角に曲折して形成されると共に、同一形状に形成され、該掛止部を上記上長孔または下長孔に挿通されて装着するように構成することができる。
【発明の効果】
【００１４】
上記構成の施錠装置は、作動杆にスイッチ作動部を設けて、作動杆を解錠用とスイッチ作動用に兼用するため、従来の施錠装置で使用されるスイッチ作動杆、ガイド部、コイルばねなどの部材が不要となり、部品点数を削減し、組み立て作業を簡単化することができる。さらに、作動杆と基枠体の支持板に各々上長孔と下長孔が貫通して形成され、上長孔に上移動部材が移動可能に挿通されると共に、下長孔に下移動部材が移動可能に挿通され、上移動部材と下移動部材間に１本のコイルばねが掛け渡され、作動杆の上移動に伴い上移動部材が上昇してコイルばねを引き伸ばし、または作動杆の下移動に伴い下移動部材が下降してコイルばねを引き伸ばし、作動杆が上移動時または下移動時に、コイルばねにより中立位置復帰方向に付勢されるから、１本のコイルばねによって、作動杆を上下両方向にフローティング状態で支持することができる。
【００１５】
従来の施錠装置における作動杆は、通常、基枠体の取付板との間にコイルばねを掛け渡しているため、コイルばねの装着状態が斜めになり、或いは取付板の近傍に限られていたが、この施錠装置では、支持板と作動杆の任意の位置に上長孔と下長孔を形成し、上移動部材と下移動部材を上長孔と下長孔に挿入してその間にコイルばねを装着するため、作動杆の任意の位置に且つ作動杆の長手方向に沿って、つまり上下の移動方向と平行にコイルばねを装着することができる。このため、コイルばねの付勢力を真直ぐに作動杆の長手方向に作用させ、外れなどの不具合を生じることなく、施錠装置を良好に動作させることができる。
【発明を実施するための最良の形態】
【００１６】
以下、本発明の一実施形態を図面に基づいて説明する。図１はスロットマシンなどのゲーム機の前扉の施錠に使用される第１発明の施錠装置の左側面図、図２は同施錠装置の右側面図、図３は同背面図を示し、図４は解錠動作時の右側面図を示している。また、図５、図６は同施錠装置の分解右側面図と分解背面図を示している。この施錠装置は、概略的には、受け具３１の係止部３３，３４に係止されるラッチ部材１０，１０を、支持板３の上部と下部に枢軸５、５を軸に回動可能に枢支し、ラッチ部材１０，１０の溝状のラッチ凹部１５，１５内に、係止部３３，３４の円柱部４１を嵌入し拘束して施錠するように構成される。
【００１７】
施錠装置は、縦長の基枠体１を有し、基枠体１は略コ字状断面を有したチャンネル材状に形成され、その底板を取付板２とし、取付板２に対し一方の側に直角に曲折された幅広の支持板３を有しており、取付板２には複数の取付孔が穿設され、支持板３にはラッチ部材１０，１０が軸支される。
【００１８】
図６に示すように、取付板２の中間部下寄りに、拡幅部２ａが幅広に形成され、その拡幅部２ａにはシリンダ錠７を取り付けるための挿入孔が形成され、シリンダ錠７はその挿入孔に内側から挿入され、そのフランジ７ａを拡幅部２ａの内側に当てて固定される。また、拡幅部２ａの側部の支持板は、分割支持板３ａとして分割して形成され、その分割支持板３ａの内側に長尺の作動杆４が上下摺動可能に配置される。また、支持板３の下部に支持ローラ２２が回転自在に軸支される。
【００１９】
図５に示すように、支持板３の上部寄りと下部寄りの背面側に、その支持板３の一部を切り欠くように開口凹部３ｂ、３ｃが形成され、この上部と下部の開口凹部３ｂ、３ｃの真下位置に各々、ラッチ部材１０，１０が枢軸５，５を軸に所定の角度範囲で回動可能に枢支される。このラッチ部材１０，１０は、施錠時、受け具３１の係止部３３，３４が開口凹部３ｂ、３ｃに進入し、開口凹部３ｂ、３ｃの真下位置に枢支されたラッチ部材１０が係止部３３，３４の円柱部４１をそのラッチ凹部１５内に受け入れながら回動し、係止部３３，３４を拘束してする構造となっている。更に、図５に示すように、上部と下部の開口凹部３ｂ、３ｃの少し下方に各々、ラッチ部材１０側の係止ピン１４をガイドし且つ係止するガイド係止孔８，８が支持板３に形成されている。
【００２０】
このガイド係止孔８，８は図５のように略Ｌ字状に形成され、支持板３と平行な部分がロック部８ａ，８ａとして形成され、ラッチ部材１０、１０の係止ピン１４が、カバー板１２のガイド孔１２ａ，１２ａを移動し、同時にガイド係止孔８、８からそのロック部８ａ，８ａに進入したとき、ラッチ部材１０はラッチ状態となりロックされる。
【００２１】
さらに、図５のように、上部と下部のガイド係止孔８，８の少し上の支持板３に各々、支持凸部９、９が内側つまりラッチ部材１０，１０側に突出して設けられる。この支持凸部９、９は、図７ｂに示すように、ラッチ部材１０の内側面に形成された円弧状の係合凹部１２ｂに進入し、ばね部材１３に当接する。これにより、ラッチ部材１０は、施錠時、図１４に示すように、ばね部材１３の付勢力に抗して回動し、解錠時に係止ピン１４がロック部８ａからガイド係止孔８側に外れたとき、ラッチ部材１０はばね部材１３の付勢力により解錠方向に回動する。
【００２２】
図７に示すように、ラッチ部材１０には、受け具３１の係止部３３，３４を受け入れて拘束する溝状のラッチ凹部１５が形成され、更に、ラッチ部材１０内には、ラッチ部材１０をラッチ状態に係止するための係止ピン１４と付勢用のばね部材１３が内蔵される。また、ラッチ部材１０は、図７のように、ラッチ本体１１とそれを覆うカバー板１２とを有して形成され、ラッチ本体１１内には空間が形成され、その内部空間にばね部材１３と係止ピン１４が収納される。
【００２３】
ラッチ本体１１は、ポリアセタール樹脂、ポリアミド樹脂などの耐摩耗性の高い硬質合成樹脂を用いて成形され、カバー板１２は、補強のために金属板から形成される。ラッチ本体１１を成形する成形材料には、二硫化モリブデンなどの滑剤が添加されており、これによって、ラッチ部材１０の外面を形成するラッチ本体１１に適度な滑性をもたせ、受け具３１側の係止部３３，３４の円柱部４１を滑らかに嵌入する形態となっている。
【００２４】
また、ラッチ本体１１の内側面に金属板のカバー板１２を固定ねじ１２ｃで固定することにより、ラッチ部材１０の強度を補強している。また、カバー板１２は、端部に係止片１２ｄを設け、その係止片１２ｄをラッチ本体１１に設けたスリットに差し込んで係止させ、１本の固定ねじ１２ｃで固定できるようにしている。
【００２５】
ラッチ部材１０に内蔵される係止ピン１４は、ラッチ部材１０をラッチ位置に回動させたとき、その位置で支持板３のガイド係止孔８のロック部８ａに係止させてロックさせるもので、カバー板１２に形成されたガイド孔１２ａから支持板３側に突き出して配設され、ばね部材１３により常に外側に付勢されている。
【００２６】
ばね部材１３は、図７に示す如く、２個の円形コイル部を有する捻りばねであり、その一方の円形コイル部１３ａをラッチ本体１１の枢軸ボス部に嵌合させ、他方の円形コイル部１３ｂをラッチ本体１１内の偏倚位置に突設した係止ボス部１１ａに嵌合させて装着され、ばね部材１３の一端で係止ピン１４を付勢し、その他端で支持板３の内側に突設した支持凸部９を付勢するように掛止されている。
【００２７】
ラッチ部材１０のカバー板１２に形成された円弧状の係合凹部１２ｂには、支持板３側の支持凸部９が進入して係合され、ラッチ部材１０内のばね部材１３の他端がその支持凸部９に係合している。つまり、このばね部材１３の他端が支持凸部９に係合することにより、ラッチ部材１０は相対的に解錠側（図１４の時計方向）にばね力を受けて付勢される。
【００２８】
図７のように、ラッチ部材１０は、内部にばね部材１３及び係止ピン１４を内蔵してユニット化され、ラッチ本体１１内に係止ピン１４、ばね部材１３を組み込み、カバー板１２を固定ねじ１２ｃで固定して、施錠装置の組立工程の前に予め製造しておくことができる。これにより、施錠装置の製造ラインでは、このラッチ部材１０を枢軸５で軸支するだけでよく、組付け作業は簡単となる。
【００２９】
なお、図２に示すように、上下のラッチ部材１０の下側における支持板３の内側に、囲い部２３がラッチ部材１０を下側から囲うように突設されている。この囲い部２３は、不正な行為によって針金等がキャビネット内に挿入されたときなどに、その侵入を阻止し、ラッチ部材１０の係止ピン１４などを不正に動かす不正解錠を防止することができる。
【００３０】
縦長で帯状の作動杆４が、基枠体１の支持板３の外側及び分割支持板３ａの内側に沿って摺動可能に配設される。作動杆４には、図５に示すように、その上部と下部に作動係合部４ａ，４ｂが支持板３側で且つラッチ部材１０側に向けて突設される。
【００３１】
また、作動係合部４ａ，４ｂは、上記ラッチ部材１０、１０の係止ピン１４、１４が配置されるガイド係止孔８、８のロック部８ａ，８ａ近傍に位置しており、解錠時には、その作動係合部４ａ，４ｂの先端でロック部８ａ，８ａ内の係止ピン１４、１４を押して、ロックを解除する構造である。なお、作動係合部４ａ，４ｂは作動杆４の内側に配置されてその外側が金属板で覆われた形態にあり、ガイド係止孔８，８を通して支持板３の外側の僅かに突出した係止ピン１４，１４の先端に作用する構造である。
【００３２】
さらに、作動杆４には後述のカム部材２１が係合するための係合孔４ｃ、４ｄが、その対応箇所である上部に形成されている。さらに、作動杆４の作動係合部４ａ，４ｂの真下位置にガイド孔４ｇ、４ｇが形成され、ガイドピン６，６がこのガイド孔４ｇ、４ｇに挿通されて支持板３に固定され、これにより、作動杆４の上下摺動がガイドピン６，６によってガイドされる。
【００３３】
作動杆４は支持板３の外側に沿って且つ分割支持板３ａの内側に沿って配設され、１本のコイルばね１６により、作動杆４は上下にフローティング状態で支持される。これにより、作動杆４は、カム部材２１の回動によりコイルばね１６の付勢力に抗して上又は下に移動し、カム部材２１が原位置に戻るとき、コイルばね１６の付勢力を受けて中立位置に復帰可能となっている。
【００３４】
具体的には、図５、図８に示すように、コイルばね１６を装着する箇所の作動杆４と基枠体１の支持板３に、各々上長孔４ｆと下長孔４ｈ及び上長孔３ｄと下長孔３ｅが貫通して形成され、上長孔４ｆ、３ｄには上移動部材１８の掛止部１８ｂが移動可能に挿通される。また、下長孔４ｈ、３ｅには下移動部材１９の掛止部１９ｂが移動可能に挿通される。
【００３５】
上移動部材１８と下移動部材１９には、図１０に示すような同じ部材が使用され、板状本体１８ａ，１９ａに対しコイルばね１６を掛止するための掛止部１８ｂ、１９ｂを直角に曲折して同一形状に形成されている。コイルばね１６を装着する場合、図８に示すように、上移動部材１８の掛止部１８ｂを、作動杆４側からその上長孔４ｆに挿入すると共に、支持板３の上長孔３ｄに挿通させる。また、下移動部材１９の場合は、掛止部１９ｂを上記とは逆の上側にして、その掛止部１９ｂを作動杆４側からその下長孔４ｈに挿入すると共に、支持板３の下長孔３ｅに挿通させる。
【００３６】
そして、基枠体１内に現われた掛止部１８ｂと掛止部１９ｂ間にコイルばね１６が掛け渡される。コイルばね１６を上移動部材１８と下移動部材１９間に掛け渡した状態で、図１１のように、上長孔４ｆ、３ｄの上側に空間があり、下長孔４ｈ，３ｅの下側に空間があるため、作動杆４を上に移動させたとき、上移動部材１８が上昇してコイルばね１６を引き伸ばす。一方、作動杆４を下に移動させたとき、下移動部材が下降してコイルばね１６を引き伸ばすことになる。
【００３７】
このため、作動杆４の上移動時にはコイルばね１６の下方への付勢力に抗して上昇し、作動杆４の下移動時にはコイルばね１６の上方への付勢力に抗して下降することとなり、作動杆４の非作動時つまり移動力の消失時には、コイルばね１６の付勢力により作動杆４は原位置（中立位置）に復帰する構造となっている。
【００３８】
したがって、作動杆４は図１の中立位置から図１２のように、上方に及び下方にコイルばね１６の付勢力に抗して移動可能であり、作動杆４がシリンダ錠７によるカム部材２１の回動動作によって上方又は下方に移動したとき、その後の移動力の消失により中立位置に復帰する。
【００３９】
また、この作動杆４は、解錠作動用とスイッチ作動用に兼用とされ、作動杆４の中間部下寄りにスイッチ作動部４ｅが設けられる。一方、スイッチ作動部４ｅに対応した取付板２の部分に、機能スイッチ（光電式の非接触スイッチ）１７が取り付けられ、作動杆４を下降させたとき、スイッチ作動部４ｅが機能スイッチ１７に作用して機能スイッチ１７をスイッチング動作させる。この機能スイッチ１７はゲーム機のリセットなどに使用される。
【００４０】
このように、解錠用の作動杆４を、解錠作動用とスイッチ作動用に兼用することにより、従来、必要としていた作動スイッチ用の作動杆やそれを付勢するコイルばねが不要となり、部品点数を削減し、施錠装置の構造を簡単化することができる。
【００４１】
図５、図６に示すように、基枠体１の取付板２の上部の拡幅部２ａに大径孔が形成され、その大径孔に内側から挿入する形態でシリンダ錠７が装着される。シリンダ錠７はフランジ７ａを有しそのフランジ７ａを取付板２の拡幅部２ａにねじ止めして固定される。シリンダ錠７の錠軸は基枠体１の内側に突出し、その先端にカム部材２１が固定される。カム部材２１には第１の係合凸部２１ａと第２の係合凸部２１ｂが形成され、その第１の係合凸部２１ａは、シリンダ錠７の鍵の右回転に応じて作動杆４の係合孔４ｄと係合し、第２の係合凸部２１ｂはその左回転に応じて作動杆４の係合孔４ｃに係合する。
【００４２】
このような構造により、シリンダ錠７の鍵を右に回すと、カム部材２１が同方向に回動して、カム部材２１の係合凸部２１ａが作動杆４の係合孔４ｄに係合し、コイルばね１６の付勢力に抗して作動杆４を上昇させ、その作動係合部４ａ，４ｂによりラッチ部材１０，１０の係止ピン１４を押し上げて、ラッチ部材１０，１０を解錠動作させる。一方、シリンダ錠７の鍵を左に回すと、カム部材２１が同方向に回動して、カム部材２１の係合凸部２１ｂが係合孔４ｃに係合し、コイルばね１６の付勢力に抗して作動杆４を下降させ、そのスイッチ作動部４ｅが機能スイッチ１７内に進入し、機能スイッチをスイッチング動作させる。
【００４３】
次に、上記構成の施錠装置の動作を説明する。施錠装置は、図１３に示すように、ゲーム機の前扉５１の内側の右側端部（自由端側）に、取付板２を介して縦に固定され、キャビネット５０内の対向位置（右側壁部内面）に縦長の受け具３１が取り付けられる。
【００４４】
受け具３１は帯板状の取付部３２の上部寄りと下部寄りに、係止部３３，３４を設けて形成され、係止部３３，３４には、円柱部４１を有する合成樹脂製被覆部４０が係止芯部を被覆するように装着され、この合成樹脂製の円柱部４１に上記のラッチ部材１０が係止される構造となっている。また、受け具３１の取付部３２の下部に滑り支持板３８が設けられ、ゲーム機の前扉５１を閉じる際、施錠装置の支持ローラ２２がこの滑り支持板３８の上を転動して前扉を支持する構造である。前扉５１の内側に取り付けられた施錠装置のシリンダ錠７の鍵口は、前扉５１の前面に露出する。
【００４５】
前扉５１をキャビネット５０に対し閉じると、図１３に示すように、受け具３１の上下の係止部３３，３４が、施錠装置の上部と下部の開口凹部３ｂ、３ｃからラッチ部材１０，１０のラッチ凹部１５，１５内に進入する。このとき、図１４の右から左に示すように、係止部３３，３４の合成樹脂製被覆部４０の円柱部４１がラッチ部材１０，１０を押し込むようにして、ラッチ部材１０，１０が図１４の反時計方向に回動し、回動端までラッチ部材１０，１０が回動すると、ラッチ部材１０内の係止ピン１４がばね部材１３の付勢力によりガイド係止孔８内で移動し、これによって、係止ピン１４がガイド係止孔８のロック部８ａに進入する。
【００４６】
このとき、ラッチ部材１０，１０の回動がロックされ、図１４の左端図に示すように、ラッチ部材１０，１０のラッチ凹部１５、１５内に受け具３１の係止部３３，３４が拘束され、ラッチ部材１０，１０がそのラッチ位置に保持され、図１２に示すような施錠状態となる。このような施錠時、上述のように、ラッチ部材１０のラッチ凹部１５とそこに嵌入される受け具３１の合成樹脂製被覆部４０の円柱部４１は、適度な滑性を有した合成樹脂により成形されているため、非常にスムーズに施錠することができ、解錠動作も円滑に行なうことができる。また、耐磨耗性が良好な合成樹脂製のラッチ部材１０と受け具３１の使用により、当接・接触箇所の摩耗を少なくして、ラッチ部材や受け具を長期にわたり安定して動作させることができる。
【００４７】
一方、ゲーム機のリセットなどを行なうために、機能スイッチ１７をスイッチングする場合、シリンダ錠７に鍵を差し込み左に回す。このとき、カム部材２１が同方向に回動してその係合凸部２１ｂが作動杆４の係合孔４ｃに係合し、作動杆４が下方に移動する。これにより、作動杆４のスイッチ作動部４ｅが機能スイッチ１７に作用する。このとき、作動杆４は下降するのみで、ラッチ部材１０の係止ピン１４には何ら作用しないため、施錠状態においても、作動杆４を下方に移動させて、機能スイッチ１７をスイッチングさせることができる。
【００４８】
一方、前扉５１を解錠する場合、シリンダ錠７に鍵を挿入しその鍵を右に回すと、カム部材２１が同方向に回動し、カム部材２１の係合凸部２１ａが作動杆４の係合孔４ｄに係合し、作動杆４が上に移動する。これにより、作動杆４の上部と下部の作動係合部４ａ、４ｂ（支持板３のガイド係止孔８のロック部８ａに対向して位置する）が同様に上方に移動し、そのロック部８ａ内の係止ピン１４を図１４に示すように、上方に押すように作用する。
【００４９】
このとき、係止ピン１４は、図１４の左から右に示すように、ばね部材１３による付勢力によって、ロック部８ａからガイド係止孔８へと移動し、ラッチ部材１０，１０のラッチ位置でのロックが外れる。つまり、ラッチ部材１０，１０はばね部材１３の付勢力により、図１４の時計方向に回動し、拘束されていた受け具３１の係止部３３，３４の合成樹脂製被覆部４０の円柱部４１がラッチ部材１０，１０のラッチ凹部１５、１５から外れ、開口凹部３ｂ、３ｃからも押し出されて解錠状態となる。
【００５０】
上記のように、シリンダ錠７の鍵を解錠時とは反対方向に回すと、カム部材２１が同方向に回動し、そこに係合する作動杆４が解錠時とは反対方向に移動し、作動杆４に設けたスイッチ作動部４ｅが機能スイッチ１７に作用して、機能スイッチ１７がスイッチング動作するから、作動杆４は、解錠用とスイッチ作動用に兼用される。このため、従来の施錠装置で使用されるスイッチ作動杆、ガイド部、ばね部材などは不要となり、部品点数を削減し、組み立て作業を簡単化することができる。
【００５１】
また、作動杆４と支持板における上長孔４ｆ、３ｄ及び下長孔４ｈ、３ｅに挿通された上移動部材１８と下移動部材１９の掛止部１８ｂ，１９ｂ間にコイルばね１６を掛け渡し、このコイルばね１６によって、作動杆４を上下両方向にフローティング状態で支持する構造であるから、作動杆４は単純に１本のコイルばねによって、上下両方向に、ばねの付勢力に抗して移動可能とされ、作動杆４の付勢手段の構造を簡単化することができる。
【００５２】
すなわち、従来の施錠装置の作動杆は、通常、基枠体の取付板との間にコイルばねを掛け渡しているため、コイルばねの装着状態が斜めになり、或いは取付板の近傍に限られていたが、この施錠装置では、支持板３と作動杆４の任意の位置に上長孔３ｄ、４ｆと下長孔３ｅ、４ｈを形成し、上移動部材１８と下移動部材１９を上長孔３ｄ、４ｆと下長孔３ｅ、４ｈに挿入してその間にコイルばね１６を装着することができる。このため、作動杆４の任意の位置に且つ作動杆４の長手方向に沿って、つまり上下の移動方向と平行にコイルばね１６を装着することができ、コイルばねの付勢力を真直ぐに作動杆の長手方向に作用させ、外れなどの不具合を生じることなく、施錠装置を良好に動作させることができる。
【００５３】
図１５〜図１９は他の実施形態の施錠装置を示している。本施錠装置は、基本的には、上記実施形態で使用した上下のラッチ部材１０を、フック状の鉤部材７０に代えて構成されており、シリンダ錠７、カム部材２１、作動杆６４を上下にフローティング状態に保持する上移動部材１８、下移動部材１９、及びコイルばね１６は、上記と同様である。上記と同様の部材については、上記と同じ符号を図面に付して、その説明を省略する。
【００５４】
図１５〜図１７に示すように、この施錠装置は、縦長の基枠体６１を有し、基枠体６１は略コ字状断面を有したチャンネル材状に形成され、その底板を取付板６２とし、取付板６２に対し一方の側に直角に曲折された幅広の支持板６３を有しており、取付板６２には複数の取付孔が穿設され、支持板６３の上部と下部には鉤部材７０，７０が傾動可能に軸支される。
【００５５】
取付板６２の中間部下寄りに、拡幅部が幅広に形成され、その拡幅部にはシリンダ錠７を取り付けるための挿入孔が形成され、シリンダ錠７はその挿入孔に内側から挿入され、そのフランジ７ａを拡幅部の内側に当てて固定される。シリンダ錠７の錠軸７ｂの先端にはカム部材２１が固定され、カム部材２１には係合凸部２１ａ，２１ｂが設けられる。また、拡幅部の側部の支持板は、分割支持板６３ａとして分割して形成され、その分割支持板６３ａの内側に長手方向に向けて、長尺の作動杆６４が上下摺動可能に配置される。また、支持板６３の下部に支持ローラ２２が回転自在に軸支される。
【００５６】
図１７に示すように、支持板６３の上部寄りと下部寄りには幅広部が形成され、それらの幅広部の内側に各々、１対の鉤部材７０，７０が枢軸６５、６５によって、図に示すような水平姿勢から下側に所定角度だけ傾動可能に、支持板６３に対し軸支される。鉤部材７０は、図１８，１９に示すように、先端がフック状に形成され、その元部の内側に円形の凹部７１が形成され、凹部７１の中央には軸孔が形成され、さらに、その凹部７１の右側に開口部７２が形成されている。鉤部材７０の元部の凹部７１内には、図１９に示すように、トーションばね７３が収容され、そのトーションばね７３は凹部７１の中央を貫通する枢軸６５の回りに装着される。
【００５７】
トーションばね７３の一方の端部は、開口部７２の縁部に掛止され、他方の端部は、開口部７１から支持板６３側に突き出し、鉤部材７０の装着時に、支持板６３側の掛止部６３ｂ、６３ｃに掛止される。これにより、上下の鉤部材７０，７０は、図１７に示すように、トーションばね７３によって水平姿勢から上方（施錠側）に付勢され、水平状態で鉤部材７０の末端の係合部７４が作動杆６４の係合部６４ａ，６４ｂに当たり静止している。
【００５８】
縦長で帯状の作動杆６４が、上記と同様に、基枠体６１の支持板６３の外側及び分割支持板６３ａの内側に沿って摺動可能に配設される。作動杆６４には、上記のように、上下の鉤部材７０，７０に対応した位置に、係合部６４ａ，６４ｂが形成され、鉤部材７０の末端の係合部７４がそこに係合している。
【００５９】
さらに、作動杆６４にはカム部材２１が係合するための係合孔が、その対応箇所である中間部に形成されている。さらに、作動杆６４の係合部６４ａ，６４ｂの下側位置にガイド孔６４ｇ、６４ｇが形成され、ガイドピン６６，６６がこのガイド孔６４ｇ、６４ｇに挿通されて支持板６３に固定され、これにより、作動杆６４の上下摺動がガイドピン６６，６６によってガイドされる。また、分割支持板６３ａに形成されたガイド孔６３ｆにガイドピン６６ａが挿入され、その先端が作動杆６４に固定され、作動杆６４の上下摺動がガイドされる。
【００６０】
作動杆６４は、１本のコイルばね１６により、上下にフローティング状態で支持される。これにより、作動杆６４はカム部材２１の回動によりコイルばね１６の付勢力に抗して上又は下に移動し、カム部材２１が原位置に戻るとき、コイルばね１６の付勢力を受けて中立位置に復帰可能となっている。
【００６１】
具体的には、コイルばね１６を装着する箇所の作動杆６４と基枠体６１の支持板６３に、各々上長孔と下長孔及び上長孔と下長孔が貫通して形成され、上長孔には上移動部材１８の掛止部１８ｂが移動可能に挿通される。また、下長孔には下移動部材１９の掛止部１９ｂが移動可能に挿通される。
【００６２】
上移動部材１８と下移動部材１９は同一部材として形成され、板状本体に対しコイルばね１６を掛止するための掛止部１８ｂ、１９ｂを直角に曲折して同一形状に形成されている。コイルばね１６を装着する場合、上移動部材１８の掛止部１８ｂを、作動杆６４側からその上長孔に挿入すると共に、支持板６３の上長孔に挿通させる。また、下移動部材１９の場合は、掛止部１９ｂを上記とは逆の上側にして、その掛止部１９ｂを作動杆６４側からその下長孔に挿入すると共に、支持板６３の下長孔に挿通させる。
【００６３】
そして、基枠体６１内に現われた掛止部１８ｂと掛止部１９ｂ間にコイルばね１６が掛け渡される。コイルばね１６を上移動部材１８と下移動部材１９間に掛け渡した状態で、上長孔の上側に空間があり、下長孔の下側に空間があるため、作動杆６４を上に移動させたとき、上移動部材１８が上昇してコイルばね１６を引き伸ばす。一方、作動杆６４を下に移動させたとき、下移動部材１９が下降してコイルばね１６を引き伸ばすことになる。
【００６４】
このため、作動杆６４の上移動時にはコイルばね１６の下方への付勢力に抗して上昇し、作動杆６４の下移動時にはコイルばね１６の上方への付勢力に抗して下降することとなり、作動杆６４の非作動時つまり移動力の消失時には、コイルばね１６の付勢力により作動杆６４は原位置（中立位置）に復帰する構造となっている。
【００６５】
したがって、作動杆６４は図１５の中立位置から、上方に及び下方にコイルばね１６の付勢力に抗して移動可能であり、作動杆６４がシリンダ錠７によるカム部材２１の回動動作によって上方又は下方に移動したとき、その後の移動力の消失により中立位置に復帰する。上記のように、シリンダ錠７の錠軸７ｂの先端に固定されたカム部材２１には、第１の係合凸部２１ａと第２の係合凸部２１ｂが形成され、その第１の係合凸部２１ａは、シリンダ錠７の鍵の右回転に応じて作動杆６４の下側の係合孔と係合可能である。また、第２の係合凸部２１ｂはその左回転に応じて作動杆６４の上側の係合孔に係合可能である。このような構成により、シリンダ錠７に挿入した鍵を右に回すと、カム部材２１が図１６の反時計方向に回転し、作動杆６４が上方に摺動して解錠動作することとなる。一方、シリンダ錠７に挿入した鍵を左に回すと、カム部材２１が図１６の時計方向に回転し、作動杆６４が下方に摺動する。
【００６６】
この作動杆６４は、解錠作動用とスイッチ作動用に兼用とされ、図１５のように、作動杆６４の中間部下寄りにスイッチ作動部６４ｅが設けられる。一方、スイッチ作動部６４ｅに対応した取付板６２の部分に、機能スイッチ（光電式の非接触スイッチ）１７が取り付けられ、作動杆６４を下降させたとき、スイッチ作動部６４ｅが機能スイッチ１７に作用して機能スイッチ１７をスイッチング動作させる。この機能スイッチ１７はゲーム機のリセットなどに使用される。
【００６７】
このように、解錠用の作動杆６４を、解錠作動用とスイッチ作動用に兼用することにより、従来、必要としていた作動スイッチ用の作動杆やそれを付勢するコイルばねが不要となり、部品点数を削減し、施錠装置の構造を簡単化することができる。
【図面の簡単な説明】
【００６８】
【図１】本発明の一実施例を示す施錠装置の左側面図である。
【図２】同施錠装置の右側面図である。
【図３】同施錠装置の背面図である。
【図４】解錠時の右側面図である。
【図５】同施錠装置の分解右側面図である。
【図６】同施錠装置の分解背面図である。
【図７】ラッチ部材の分解斜視図（ａ）と背面図（ｂ）である。
【図８】上移動部材、下移動部材、及びコイルばねの関係を示す分解斜視図である。
【図９】上移動部材、下移動部材、及びコイルばねの関係を示す部分斜視図である。
【図１０】上移動部材（下移動部材）の正面図（ａ）、左側面図（ｂ）、右側面図（ｃ）、底面図（ｃ）である。
【図１１】上移動部材、下移動部材、及びコイルばねの装着状態を示す部分断面図である。受け具の係止部に合成樹脂製被覆部を嵌め込む際の分解斜視図である。
【図１２】作動杆を上に移動した状態の左側面図（ａ）、作動杆を下に移動した状態の左側面図（ｂ）である。
【図１３】使用状態を示す前扉開放時の断面付きの右側面図である。
【図１４】施錠時と解錠時のラッチ部材の動きを示す説明図である。
【図１５】他の実施形態の施錠装置の左側面図である。
【図１６】同施錠装置の背面図である。
【図１７】同施錠装置の右側面図である。
【図１８】鉤部材の側面図である。
【図１９】鉤部材とトーションばねの分背面図である。
【符号の説明】
【００６９】
１      基枠体
２      取付板
３      支持板
３ｂ    開口凹部
３ｄ    上長孔
３ｅ    下長孔
４      作動杆
４ａ    作動係合部
４ｃ    係合孔
４ｄ    係合孔
４ｅ    スイッチ作動部
４ｆ    上長孔
４ｈ    下長孔
５      枢軸
７      シリンダ錠
８      ガイド係止孔
９      支持凸部
１０    ラッチ部材
１４    係止ピン
１５    ラッチ凹部
１７    機能スイッチ
１８    上移動部材
１８ｂ  掛止部
１９    下移動部材
１９ｂ  掛止部
２１    カム部材
３１    受け具
５０    キャビネット
５１    前扉
【図１】
2008229271.tif 000003
【図２】
2008229271.tif 000004
【図３】
2008229271.tif 000005
【図４】
2008229271.tif 000006
【図５】
2008229271.tif 000007
【図６】
2008229271.tif 000008
【図７】
2008229271.tif 000009
【図８】
2008229271.tif 000010
【図９】
2008229271.tif 000011
【図１０】
2008229271.tif 000012
【図１１】
2008229271.tif 000013
【図１２】
2008229271.tif 000014
【図１３】
2008229271.tif 000015
【図１４】
2008229271.tif 000016
【図１５】
2008229271.tif 000017
【図１６】
2008229271.tif 000018
【図１７】
2008229271.tif 000019
【図１８】
2008229271.tif 000020
【図１９】
2008229271.tif 000021